(57)【要約】    【課題】第１入賞手段からの遊技球を簡単な構造で第２入賞手段側を経て遊技盤の下部側へと落下させることができ、部品点数や組み立て工数を削減できるようにする。    【解決手段】遊技盤１１に、入賞した遊技球を遊技盤１１の裏側へと案内する第１入賞手段１９と第２入賞手段２０とを上下に隣接して設ける。第１入賞手段１９からの遊技球を遊技盤１１の下部側へと案内する案内通路６５を遊技盤１１の裏側で第２入賞手段２０に上下方向に形成する。第１入賞手段１９と第２入賞手段２０との間に配置され且つ第１入賞手段１９からの遊技球を案内通路６５へと案内する案内部材７０、又は第１入賞手段１９からの遊技球が案内通路６５以外へと移動しないように規制する規制部材３９を、遊技盤１１の裏側に装着された裏部材３４に設ける。【選択図】    図５
2008119088.tif 000002
【特許請求の範囲】
【請求項１】
遊技盤（１１）に、入賞した遊技球を該遊技盤（１１）の裏側へと案内する第１入賞手段（１９）と第２入賞手段（２０）とを上下に隣接して設けた弾球遊技機において、前記第１入賞手段（１９）からの遊技球を前記遊技盤（１１）の下部側へと案内する案内通路（６５）を前記遊技盤（１１）の裏側で前記第２入賞手段（２０）に上下方向に形成し、前記第１入賞手段（１９）と前記第２入賞手段（２０）との間に配置され且つ前記第１入賞手段（１９）からの遊技球を前記案内通路（６５）へと案内する案内部材（７０）、又は前記第１入賞手段（１９）からの遊技球が前記案内通路（６５）以外へと移動しないように規制する規制部材（３９）を、前記遊技盤（１１）の裏側に装着された裏部材（３４）に設けたことを特徴とする弾球遊技機。
【請求項２】
前記第２入賞手段（２０）の後部側に、その後端から前側に凹入する前記案内通路（６５）を設け、該案内通路（６５）の下部に、遊技球を後下側へと案内する傾斜面（６７）を有することを特徴とする請求項１に記載の弾球遊技機。
【請求項３】
前記案内部材（７０）又は前記規制部材（３９）を前記第１入賞手段（１９）からの遊技球が前記案内通路（６５）へと落下する落下空間（６８）の左右両側に配置したことを特徴とする請求項１又は２に記載の弾球遊技機。
【請求項４】
前記裏部材は前記第１入賞手段（１９）の後方に配置され且つ裏側に基板（３５）が取り付けられる基板取り付け台（３４）であり、該基板取り付け台（３４）に前記遊技盤（１１）側へと突出する前記案内部材（７０）又は前記規制部材（３９）を一体に備え、前記案内部材（７０）又は前記規制部材（３９）の前端が前記遊技盤（１１）の裏面に当接又は近接していることを特徴とする請求項１〜３の何れかに記載の弾球遊技機。
【請求項５】
前記基板取り付け台（３４）は、該基板取り付け台（３４）に取り付けられた前記基板（３５）に対応して、前記案内部材（７０）又は前記規制部材（３９）の他に、該案内部材（７０）又は該規制部材（３９）の左右両側で前記遊技盤（１１）の裏面に当接又は近接する当接脚部（４０）を有することを特徴とする請求項４に記載の弾球遊技機。
【発明の詳細な説明】
【技術分野】
【０００１】
本発明は、パチンコ機、アレンジボール機、雀球遊技機等の弾球遊技機に関するものである。
【背景技術】
【０００２】
パチンコ機では、遊技盤の遊技領域の略中央に液晶表示手段等よりなる特別図柄表示手段を、遊技領域の下部近傍に大入賞手段を、それら特別図柄表示手段と大入賞手段との間に特別図柄始動手段を夫々配置し、特別図柄始動手段に遊技球が入賞することを条件に特別図柄表示手段の３つの特別図柄を所定時間変動表示すると共に、その変動後の停止図柄が予め定められた大当たり図柄となった場合に、大入賞手段を開放して遊技者に有利な利益状態を発生させるようにしている。
【０００３】
特別図柄始動手段や大入賞手段等の入賞手段は、遊技盤の前側で入賞した遊技球をその裏側に案内するように構成されており、遊技盤の裏側に案内された遊技球は、最終的には遊技盤の下方側で集めて所定の排出口から島側に回収するようになっている。
【０００４】
しかし、特別図柄始動手段と大入賞手段とを上下に近接して配置した場合には、特別図柄始動手段に入賞して遊技盤の裏側へと案内された遊技球の処理が問題となる。即ち、下側の大入賞手段に入賞した遊技球は、遊技盤の裏側でそのまま下方に落下させればよいが、特別図柄始動手段に入賞した遊技球は、その下側に大入賞手段があるため、そのままでは大入賞手段上に落下することになる。
【０００５】
そこで、従来は大入賞手段の上側に樋状の球案内部材を着脱自在に装着し、特別図柄始動手段からの遊技球を球案内部材を経て後方へと案内し、球案内部材の後端から大入賞手段の後方で遊技盤の下方へと落下させるようにしている（特許文献１）。
【特許文献１】特開２００２−２８２４５４号公報
【発明の開示】
【発明が解決しようとする課題】
【０００６】
従来の球案内部材を大入賞手段の上側に備えたものでは、次のような欠点がある。即ち、一般に大入賞手段は遊技盤の取り付け孔に前側から挿入して装着するようにしている。しかし、特別図柄始動手段と大入賞手段とが上下に近接している場合には、大入賞手段用の取り付け孔の大きさが小さくなるため、大入賞手段の上側に球案内部材を装着したままの状態で、その大入賞手段を遊技盤の取り付け孔に前側から挿入することはできない。
【０００７】
そこで、従来は大入賞手段のみを遊技盤の取り付け孔に前側から挿入して固定し、その後に遊技盤の裏側で大入賞手段の上側に球案内部材を取り付ける方法を採っている。そのため、遊技盤に各遊技部品を装着して組み立てる場合の組み立て工数が増加する欠点がある。また大入賞手段に球案内部材を着脱自在に取り付けているため、構造的に複雑になり部品点数が増加する欠点もある。
【０００８】
本発明は、このような問題点に鑑み、第１入賞手段からの遊技球を簡単な構造で第２入賞手段側を経て遊技盤の下部側へと落下させることができ、部品点数や組み立て工数を削減できる弾球遊技機を提供することを目的とする。
【課題を解決するための手段】
【０００９】
本発明は、遊技盤１１に、入賞した遊技球を該遊技盤１１の裏側へと案内する第１入賞手段１９と第２入賞手段２０とを上下に隣接して設けた弾球遊技機において、前記第１入賞手段１９からの遊技球を前記遊技盤１１の下部側へと案内する案内通路６５を前記遊技盤１１の裏側で前記第２入賞手段２０に上下方向に形成し、前記第１入賞手段１９と前記第２入賞手段２０との間に配置され且つ前記第１入賞手段１９からの遊技球を前記案内通路６５へと案内する案内部材７０、又は前記第１入賞手段１９からの遊技球が前記案内通路６５以外へと移動しないように規制する規制部材３９を、前記遊技盤１１の裏側に装着された裏部材３４に設けたものである。
【発明の効果】
【００１０】
本発明では、第１入賞手段１９からの遊技球を簡単な構造で第２入賞手段２０側を経て遊技盤の下部側へと落下させることができ、部品点数や組み立て工数を削減できる。
【発明を実施するための最良の形態】
【００１１】
以下、本発明の実施例を図面に基づいて詳述する。図１〜図８は本発明をパチンコ機として具現化した第１の実施例を例示している。図１において、１は遊技機本体で、矩形状の外枠２の前側に、上下一対のヒンジ３を介して前枠４が開閉自在に枢着されている。５はガラス扉、６は前面開閉板で、これらは前枠４の前面に上下に配置され、前枠４に開閉自在に枢支されている。
【００１２】
７は発射用の遊技球を貯留する上皿で、前面開閉板６の前側に装着され、上皿カバー８により覆われている。また９は余剰球等を貯留する下皿、１０は灰皿で、これらは前面開閉板６の下側で前枠４の前側に左右に配置されている。１１は遊技盤で、ガラス扉５の裏側で前枠４に着脱自在に装着されている。
【００１３】
１２は発射手段で、下皿９の一側で前枠４の前側に装着された発射ハンドル１３と、支持板の前側に装着された発射レール１４と、前枠４の裏側に配置された図外の発射モータ及び打撃槌１５等を備え、発射ハンドル１３を操作したときに、発射モータにより打撃槌１５が作動して、前面開閉板６の裏側に装着された図外の球送り手段により発射レール１４上に１個ずつ供給される遊技球を遊技盤１１側に発射させるようになっている。
【００１４】
遊技盤１１の前側には、図２に示すように、発射手段１２により発射された遊技球を案内するガイドレール１６が環状に装着されると共に、そのガイドレール１６の内側の遊技領域１７に液晶表示手段１８、特別図柄始動手段（第１入賞手段）１９、大入賞手段（第２入賞手段）２０、普通図柄始動手段２１、普通入賞手段２２，２３等の各種の遊技部品が配置されている。液晶表示手段１８は遊技領域１７の略中央に配置され、その下側に特別図柄始動手段１９と大入賞手段２０とが上下に配置されている。また遊技領域１７の最下部には、アウト口２４ａが設けられている。
【００１５】
液晶表示手段１８は特別図柄表示手段（図柄表示手段）を構成し、その特別図柄表示手段は特別図柄始動手段１９に遊技球が入賞することを条件に、例えば３つの特別図柄が所定時間変動して停止するようになっている。
【００１６】
液晶表示手段１８は、図２、図３に示すように、透明な表示窓２４を有し且つ遊技盤１１の前面に装着された表示ケース２５と、表示窓２４に対応して遊技盤１１の裏面に装着された液晶表示パネル２６とを有し、表示ケース２５の下部に、特別図柄始動手段１９、普通入賞手段２２側へと遊技球を落下させる球案内機構２７が設けられている。
【００１７】
液晶表示パネル２６は遊技盤１１の裏面に装着された保護カバー２８により裏側から覆われている。保護カバー２８は遊技盤１１の裏面に当接して固定された周壁部２９と、周壁部２９の後端側の後壁部３０とを有し、その後壁部３０の前面に液晶表示パネル２６用のドライブ基板３１が装着されている。また保護カバー２８の裏面には、演出制御基板等の制御基板３２と、この制御基板３２を覆う基板ケース３３とが装着されている。
【００１８】
保護カバー２８の下側には、図３、図５〜図７に示すように、後壁部３０の下端から特別図柄始動手段１９、普通入賞手段２２及び大入賞手段２０の後方側へと下向きに突出する基板取り付け台３４が一体に形成されており、この基板取り付け台３４の裏側に中継基板３５が爪、ネジ等の固定手段３６により着脱自在に取り付けられている。
【００１９】
中継基板３５は、遊技盤１１側の特別図柄始動手段１９、大入賞手段２０、普通入賞手段２２等の遊技部品と、制御基板３２、図外の主制御基板等の各種制御基板とを電気的に中継するためのものであって、その裏面側には周縁部その他の適当箇所に複数個のコネクタ３７が設けられ、その各コネクタ３７がハーネス３８等を介して遊技部品、制御基板３２等に電気的に接続されている。
【００２０】
基板取り付け台３４は、その下部側等の適当箇所に突起状の規制部材３９、当接脚部４０が遊技盤１１側へと突出して一体に形成されている。規制部材３９は基板取り付け台３４の左右方向の中央部に所定の間隔をおいて左右一対あり、その左右両側に所定の間隔をおいて左右一対の当接脚部４０が配置されている。
【００２１】
また規制部材３９、当接脚部４０は基板取り付け台３４の中継基板３５に対応して左右方向に略一列に配置されると共に、前端が遊技盤１１の裏面に当接又は近接しており、中継基板３５のコネクタ３７にハーネス３８のコネクタ３８ａを挿入する際に基板取り付け台３４に掛かる負荷を、規制部材３９、当接脚部４０を介して遊技盤１１で受けるようになっている。なお、規制部材３９は左右方向の外側が開放する断面コ字状であり、当接脚部４０は断面角筒状である。
【００２２】
特別図柄始動手段１９、普通入賞手段２２は、図３、図５に示すように上側の普通入賞手段２２と、その下側の特別図柄始動手段１９とが上下に近接するように、遊技盤１１の前面に当接する取り付け兼用の装飾板４１に設けられている。普通入賞手段２２は装飾板４１に固定された本体ケース４２を備えている。本体ケース４２は、装飾板４１よりも前側に設けられた遊技球の入賞口４３と、遊技盤１１から裏側に突出する後端部に設けられた遊技球の落下口４４と、入賞口４３に入賞した遊技球を落下口４４へと案内する前後方向の樋状の傾斜案内部４５とを有する。落下口４４側には、この落下口４４から落下する遊技球を検出する検出スイッチ４６が設けられている。
【００２３】
そして、遊技盤１１の前側で入賞口４３に入賞した遊技球は、傾斜案内部４５によって遊技盤１１の裏側に案内された後、落下口４４から落下する際に検出スイッチ４６で検出され、特別図柄始動手段１９、大入賞手段２０の後方を経てそのまま下方に落下するようになっている。
【００２４】
特別図柄始動手段１９は図３〜図７に示すように、装飾板４１に固定された本体ケース４７を備えている。本体ケース４７は、装飾板４１よりも前側に設けられた入賞口４８と、この入賞口４８を開閉する左右一対の開閉羽根４９と、遊技盤１１から裏側に突出する後端部に設けられた遊技球の落下口５０と、入賞口４８に入賞した遊技球を落下口５０へと案内する前後方向の樋状の傾斜案内部５１と、本体ケース４７の後端に設けられ且つ開閉羽根４９を開閉駆動するソレノイド５２とを有する。落下口５０側には、この落下口５０から落下する遊技球を検出する検出スイッチ５３が設けられている。
【００２５】
そして、特別図柄始動手段１９は開閉羽根４９が開放したときに、遊技盤１１の前側にて入賞口４８に遊技球が入賞可能になる。入賞口４８に入賞した遊技球は、傾斜案内部５１によって遊技盤１１の裏側に案内された後、落下口５０から落下する際に検出スイッチ５３で検出され、そのまま下方に落下するようになっている。
【００２６】
なお、図８に示す検出スイッチ４６，５３の背面視の位置からも判るように、特別図柄始動手段１９の落下口５０は普通入賞手段２２の落下口４４よりも前側で遊技盤１１の裏面近傍にある。またソレノイド５２は普通入賞手段２２の落下口４４よりも左右方向の一方側にずれて配置されている。開閉羽根４９は、下部側の前後方向の枢軸廻りに開閉揺動自在であり、閉状態では普通入賞手段２２の入賞口４３の下側に近接するように起立し、開状態では左右方向の外側に傾斜して入賞口４８を開放する。
【００２７】
特別図柄始動手段１９、普通入賞手段２２は、図３〜図７に示すように、装飾板４１が遊技盤１１の前面に当接するように本体ケース４２，４７側が遊技盤１１の取り付け孔５５に前側から嵌め込まれており、遊技盤１１の裏側で特別図柄始動手段１９側の本体ケース４７の左右両側に一体に形成され且つ取り付け孔５５の孔縁に係合する左右一対の弾性係合爪５６等により遊技盤１１に着脱自在に固定されている。なお、装飾板４１をネジ等で遊技盤１１に着脱自在に固定してもよい。
【００２８】
大入賞手段２０は、図３〜図７に示すように、大入賞口５７が形成され且つ遊技盤１１の前面に当接する取り付け兼用の装飾板５８と、装飾板５８の裏面に固定された本体ケース５９と、下部の横軸廻りに大入賞口５７を開閉する開閉板６０と、本体ケース５９の裏側に設けられ且つ開閉板６０を開閉駆動するソレノイド６１とを備えている。
【００２９】
また大入賞手段２０は全体として上下幅が小さく左右幅が長い偏平な横長状であって、装飾板５８が遊技盤１１の前面に当接し且つ本体ケース５９の後部が遊技盤１１の裏側に突出するように、本体ケース５９側が遊技盤１１の取り付け孔６２に前側から嵌め込まれており、その装飾板５８がネジにより遊技盤１１に固定されている。
【００３０】
本体ケース５９内には、大入賞口５７に入賞した遊技球を左右方向の一端側へと案内する左右方向の傾斜案内部６３と、この傾斜案内部６３の一端側の後方に設けられ且つ遊技盤１１の裏側に遊技球を落下させる落下口６４と、この落下口６４から落下する遊技球を検出する検出スイッチ（図示省略）とが設けられている。落下口６４とソレノイド６１は左右方向の反対側に配置されている。
【００３１】
そして、大入賞手段２０は、開閉板６０が前側に開放したときに、その開閉板６０を経て大入賞口５７に遊技球が入賞する。大入賞口５７に入賞した遊技球は、傾斜案内部６３を経て左右方向の一端側へと案内された後、その一端側から遊技盤１１の裏側へと案内されて落下口６４から下方へと落下する。
【００３２】
本体ケース５９の遊技盤１１から裏側に突出する後部側には、ソレノイド６１と落下口６４との左右方向の中間部（略中央部）に特別図柄始動手段１９の落下口５０の下方に対応して上下方向の案内通路６５が設けられ、特別図柄始動手段１９に入賞して遊技盤１１の裏側に案内された遊技球を遊技盤１１の下部側へと案内するようになっている。案内通路６５は本体ケース５９の後端から遊技盤１１の裏面近傍まで前側に凹入する凹入部６６を有し、この凹入部６６の下部には、落下する遊技球が遊技盤１１から後方に離れるように後下側へと案内する傾斜面６７が設けられている。
【００３３】
特別図柄始動手段１９と大入賞手段２０とは上下に接近した状態で隣接しており、その両者の本体ケース４７，５９間は、特別図柄始動手段１９の落下口５０からの遊技球が大入賞手段２０の案内通路６５へと落下する落下空間６８となっている。
【００３４】
基板取り付け台３４の左右一対の規制部材３９は、特別図柄始動手段１９と大入賞手段２０との間で落下空間６８の左右両側に配置されており、複数個の遊技球が連続して特別図柄始動手段１９に入賞する等の何らかの原因によって、特別図柄始動手段１９の落下口５９から落下する遊技球が、特別図柄始動手段１９と大入賞手段２０との間で乱れた場合にも、遊技球が左右の何れかに移動して大入賞手段２０上に載る等、その遊技球が大入賞手段２０の案内通路６５以外へと移動しないように左右両側から規制して案内通路６５へと案内するようになっている。
【００３５】
なお、普通入賞手段２２の落下口４４は特別図柄始動手段１９の落下口５０よりも左右方向の一側にずれているが、この落下口４４からの遊技球も一対の規制部材３９間を経て下方に落下するようになっている。従って、一対の規制部材３９の内、その一方の規制部材３９は落下空間６８に近接しているが、他方の規制部材３９は普通入賞手段２２の落下口４４側へと落下空間６８から離れている。規制部材３９は落下中の遊技球と接触して、その遊技球を案内する機能を備えたものでもよいが、通常の落下時には遊技球と接触しない位置に配置されている。
【００３６】
基板取り付け台３４には、その左右方向の中央部（又は中間部）に左右一対の規制部材３９が設けられる他、この一対の規制部材３９の左右両側に所定の間隔をおいて当接脚部４０が設けられており、これらで基板取り付け台３４側に掛かる負荷を支えるようになっている。なお、規制部材３９、当接脚部４０は中継基板３５側のコネクタ３７又はその近傍に対応して配置することが望ましい。基板取り付け台３４の上部側の左右両側には、周壁部２９の一部が設けられている。
【００３７】
この実施例では、特別図柄始動手段１９の入賞口４８に入賞した遊技球は、傾斜案内部５１を経て遊技盤１１の裏側へと案内された後、検出スイッチ５３で検出されながら落下口５０から下方へと落下し、落下空間６８、大入賞手段２０の案内通路６５を経て遊技盤１１の下部側へと案内されて行く。そして、案内通路６５の下部の傾斜面６７で後下側へと案内され、遊技盤１１から後方に離れながら落下する。
【００３８】
通常、遊技球は特別図柄始動手段１９の落下口５０から大入賞手段２０の案内通路６５へと下方に落下するため、落下空間６８の左右両側にある規制部材３９とは接触しない。しかし、特別図柄始動手段１９の落下口５０から相前後して落下する遊技球の衝突又は干渉等により、その落下軌跡が乱れた場合であっても、落下空間６８の左右両側に規制部材３９があり、この規制部材３９が遊技球の左右方向への移動を規制するため、遊技球を案内通路６５へと確実に案内できる。
【００３９】
このように大入賞手段２０の裏側に上下方向の案内通路６５があり、左右一対の規制部材３９を基板取り付け台３４に設けることにより、従来の大入賞手段２０上に球案内部材を着脱自在に設けるものに比較して構造を大幅に簡素化でき、部品点数を削減することができる。また組み立てに際しては、大入賞手段２０を遊技盤１１の取り付け孔６２に前側から挿入し、遊技盤１１の裏側に基板取り付け台３４付きの保護カバー２８を装着すればよいので、組み立て工数も削減することができる。
【００４０】
更に一対の規制部材３９は遊技盤１１の裏面に当接しているので、中継基板３５のコネクタ３７にハーネス３８のコネクタ３８ａを接続する際にも、その中継基板３５に掛かる負荷を規制部材３９を介して遊技盤１１側で受けることができ、基板取り付け台３４側の損傷等を未然に防止できる。また規制部材３９の左右両側にも当接脚部４０があり、この当接脚部４０が遊技盤１１の裏面に当接又は近接しているため、規制部材３９の左右両側でも、基板取り付け台３４側の損傷等を未然に防止できる。
【００４１】
図９は本発明の第２の実施例を例示し、基板取り付け台３４に、第１の実施例の左右一対の規制部材３９に代替して左右一対の案内部材７０を設けたものである。特別図始動手段１９の落下口５０と大入賞手段２０の案内通路６５は左右方向に若干ずれている。そして一対の案内部材７０には、その相対向する側、即ち落下空間６８に対向する側に傾斜案内面７０ａが形成され、その傾斜案内面７０ａにより、落下口５０からの遊技球を案内通路６５側へと案内するようになっている。このように基板取り付け台３４に左右一対の案内部材７０を設け、この案内部材７０により遊技球を案内通路６５へと案内するようにしてもよい。なお、他の構成は第１の実施例と同じである。
【００４２】
図１０は本発明の第３の実施例を例示し、左右一対の案内部材７０を略対称に設けたものである。特別図始動手段１９の落下口５０と大入賞手段２０の案内通路６５は上下に相対向しており、また一対の案内部材７０にはその相対向する側に、遊技球を案内通路６５の左右方向の中心側へと案内する傾斜案内面７０ａが形成されている。このようにすれば、案内部材７０により遊技球の左右への分散を防止して案内通路６５へと確実に案内できるので、案内通路６５側の幅を狭くすることもできる。
【００４３】
なお、図９、図１０の場合、普通入賞手段２３の落下口４４からの遊技球は、左右の案内部材７０間を通って大入賞手段２０の後方側で下方に落下するようにしてもよいし、左右の案内部材７０の外側を通って落下するようにしてもよい。
【００４４】
以上説明したように各実施例では、大入賞手段２０に上下方向の案内通路６５を形成しているが、この案内通路６５は本体ケース５９に上下方向の貫通孔を形成して構成することも可能である。また本体ケース５９から後方に突出する左右一対の案内板を設け、その一対の案内板間を案内通路６５としてもよい。
【００４５】
基板取り付け台３４に規制部材３９又は案内部材７０を設ける場合、前側が開放するＵ字状に構成してもよいし、前側に突出する突出部に上下に貫通する貫通孔を形成してもよい。また規制部材３９又は案内部材７０の前端は、遊技盤１１の裏面に当接することが望ましいが、僅かの間隔を置いて近接するようにしてもよい。規制部材３９又は案内部材７０は他の断面形状、例えば丸棒状であってもよい。
【００４６】
実施例では基板取り付け台３４に規制部材３９又は案内部材７０を設けているが、遊技盤１１の裏側に装着される裏部材であれば、基板取り付け台３４以外の部材でもよい。その場合、規制部材３９又は案内部材７０は、遊技盤１１に当接又は近接しない長さでもよい。また基板取り付け台３４の裏側に装着する基板は、中継基板３５以外の制御基板でもよい。
【００４７】
第１入賞手段、第２入賞手段は特別図始動手段１９、大入賞手段２０以外のものでもよい。更にパチンコ機以外のアレンジボール機、雀球遊技機等でも同様に実施可能である。
【図面の簡単な説明】
【００４８】
【図１】本発明の第１の実施例を示すパチンコ機の正面図である。
【図２】本発明の第１の実施例を示す遊技盤の正面図である。
【図３】本発明の第１の実施例を示す遊技盤の縦断面図である。
【図４】本発明の第１の実施例を示す大入賞手段側の横断面である。
【図５】本発明の第１の実施例を示す要部の拡大断面図である。
【図６】本発明の第１の実施例を示す遊技盤等の分解斜視図である。
【図７】本発明の第１の実施例を示す特別図始動手段、大入賞手段、基板取り付け台の分解斜視図である。
【図８】本発明の第１の実施例を示す要部の背面断面図である。
【図９】本発明の第２の実施例を示す要部の背面断面図である。
【図１０】本発明の第３の実施例を示す要部の背面断面図である。
【符号の説明】
【００４９】
１１  遊技盤
１９  特別図柄始動手段（第１入賞手段）
２０  大入賞手段（第２入賞手段）
３９  規制部材
３４  基板取り付け台（裏部材）
４０  当接脚部
６５  案内通路
６７  傾斜面
６８  落下空間
７０  案内部材
【図１】
2008119088.tif 000003
【図２】
2008119088.tif 000004
【図３】
2008119088.tif 000005
【図４】
2008119088.tif 000006
【図５】
2008119088.tif 000007
【図６】
2008119088.tif 000008
【図７】
2008119088.tif 000009
【図８】
2008119088.tif 000010
【図９】
2008119088.tif 000011
【図１０】
2008119088.tif 000012